(57)【要約】【課題】発声訓練者に対して適切に発声訓練する。【解決手段】発声訓練装置１０は、音声の識別に影響を与える複数のパラメータを記憶する記憶手段１２０と、前記音声を示す音声信号を受け付ける受付手段１３２と、前記複数のパラメータの中から少なくとも一つのパラメータを決定し、前記音声信号を、決定したパラメータに応じて調整する調整手段１３４と、前記調整手段が調整した前記音声信号が示す音声を識別する識別手段１３６と、前記識別手段によって識別された音声に基づく情報を提供する提供手段１３８と、を備える。【選択図】図２
2018180166.tif 000002
【特許請求の範囲】
【請求項１】
音声の識別に影響を与える複数のパラメータを記憶する記憶手段と、
前記音声を示す音声信号を受け付ける受付手段と、
前記複数のパラメータの中から少なくとも一つのパラメータを決定し、前記音声信号を、決定したパラメータに応じて調整する調整手段と、
前記調整手段が調整した前記音声信号が示す音声を識別する識別手段と、
前記識別手段によって識別された音声に基づく情報を提供する提供手段と、
を備える音声識別装置。
【請求項２】
前記調整手段は、前記複数のパラメータに対応する複数の聴力特性を表示し、前記複数の聴力特性の中から少なくとも一つの聴力特性の選択を受け付け、受け付けた選択に対応するパラメータを前記少なくとも一つのパラメータとして決定する、
請求項１に記載の音声識別装置。
【請求項３】
前記調整手段は、前記複数のパラメータに対応する複数の会場特性を表示し、前記複数の会場特性の中から少なくとも一つの会場特性の選択を受け付け、受け付けた選択に対応するパラメータを前記少なくとも一つのパラメータとして決定する、
請求項１に記載の音声識別装置。
【請求項４】
前記調整手段は、前記音声信号が示す音声の音量を調整する、
請求項１乃至３の何れか１項に記載の音声識別装置。
【請求項５】
前記調整手段は、前記音声信号が示す音声の抑揚を調整する、
請求項１乃至４の何れか１項に記載の音声識別装置。
【発明の詳細な説明】
【技術分野】
【０００１】
本発明は、音声識別装置に関する。
【背景技術】
【０００２】
従来から、発声訓練者が発声した音声を識別し、その識別結果を文字にして画面表示する発声訓練装置が知られている（例えば特許文献１参照。）。
【先行技術文献】
【特許文献】
【０００３】
【特許文献１】特開平７−１９１６９２号公報
【発明の概要】
【発明が解決しようとする課題】
【０００４】
しかしながら、特許文献１に記載の発声訓練装置では、発声訓練者がどれだけ発声の訓練をしても、発声訓練者が実際の会場等で発声する場合、その音声を聞き手が聞き取れない虞があった。
【０００５】
本発明はこのような課題に鑑みてなされたものであり、その目的は、発声訓練者に対して適切に発声訓練することができる音声識別装置を提供することにある。
【課題を解決するための手段】
【０００６】
本発明の一態様に係る音声識別装置は、
音声の識別に影響を与える複数のパラメータを記憶する記憶手段と、
前記音声を示す音声信号を受け付ける受付手段と、
前記複数のパラメータの中から少なくとも一つのパラメータを決定し、前記音声信号を、決定したパラメータに応じて調整する調整手段と、
前記調整手段が調整した前記音声信号が示す音声を識別する識別手段と、
前記識別手段によって識別された音声に基づく情報を提供する提供手段と、
を備える音声識別装置。
【発明の効果】
【０００７】
本発明によれば、発声訓練者に対して適切に発声訓練することができる。
【図面の簡単な説明】
【０００８】
【図１】図１は、本実施形態に係る音声識別装置の一つとしての発声訓練装置のハードウェア構成の一例を示す図である。
【図２】図２は、本実施形態に係る発声訓練装置の機能構成（機能手段）の一例を示すブロック図である。
【図３】図３は、図２に示す調整テーブルの一例を説明するための説明図である。
【図４】図４は、発声訓練処理の流れの一例を示すフローチャートである。
【発明を実施するための形態】
【０００９】
以下、添付図面を参照して、本発明の好適な実施形態について説明する。なお、各図において、同一の符号を付したものは、同一又は同様の構成を有する。
【００１０】
＜ハードウェア＞
図１は、本実施形態に係る音声識別装置の一つとしての発声訓練装置１０のハードウェア構成の一例を示す図である。図示のように、発声訓練装置１０は、ＣＰＵ（Central Processing Unit）１０２と、ＲＡＭ（Random Access Memory）１０４と、ＲＯＭ（Read only Memory）１０６と、ドライブ装置１０８と、ネットワークＩ／Ｆ（Interface）１１０と、入力装置１１２と、表示装置１１４と、音声入力装置１１６と、音声出力装置１１８と、を有する。これら各構成は、バスを介して相互にデータ送受信可能に接続されている。
【００１１】
ＣＰＵ１０２は、当該ＣＰＵ１０２に接続される各構成の制御やデータの演算、加工を行う制御部である。また、ＣＰＵ１０２は、ＲＡＭ１０４又はＲＯＭ１０６に記憶された、発声訓練処理を行うアプリケーションプログラムを実行する演算装置である。ＣＰＵ１０２は、入力装置１１２やネットワークＩ／Ｆ１１０等からデータを受け取り、演算、加工した上で、演算結果を表示装置１１４や記憶装置などに出力する。
【００１２】
ＲＡＭ１０４は、例えば主記憶部などである。ＲＡＭ１０４は、ＣＰＵ１０２が実行する基本ソフトウェアであるＯＳ（Operating System）やアプリケーションソフトウェアなどのプログラムやデータを記憶又は一時保存する記憶装置である。
【００１３】
ＲＯＭ１０６は、例えばアプリケーションソフトウェアなどに関連するデータを記憶する記憶装置である。
【００１４】
ドライブ装置１０８は、記録媒体１０８Ａ、例えばＣＤ−ＲＯＭやＳＤカードなどからプログラムやデータを読み出し、記憶装置にインストールしたりダウンロードしたりする。
【００１５】
また、記録媒体１０８Ａに、所定のプログラムを格納し、この記録媒体１０８Ａに格納されたプログラムはドライブ装置１０８を介して発声訓練装置１０にインストールされる。インストールされた所定のプログラムは、発声訓練装置１０により実行可能となる。
【００１６】
ネットワークＩ／Ｆ１１０は、通信機能を有する周辺機器と発声訓練装置１０とのインターフェースである。また、ネットワークＩ／Ｆ１１０は、例えば、有線及び／又は無線回線などのデータ伝送路により構築されたＬＡＮ（Local Area Network）、ＷＡＮ（Wide Area Network）などのネットワークを介して接続される。
【００１７】
入力装置１１２は、カーソルキー、数字入力及び各種機能キー等を備えたキーボード、表示装置１１４の表示画面上でキーの選択等を行うためのマウスやスライドパッド等を有する。また、入力装置１１２は、発声訓練者がＣＰＵ１０２に操作指示を与えたり、データを入力したりするためのユーザインターフェースである。
【００１８】
表示装置１１４は、ＬＣＤ（Liquid Crystal Display）等により構成され、ＣＰＵ１０２から入力される表示データに応じた表示が行われる。
【００１９】
音声入力装置１１６は、発声訓練者が発声する音声を、発声訓練装置１０の内部に入力する装置である。
【００２０】
音声出力装置１１８と、データに基づく音声を、発声訓練装置１０の外部に出力する装置である。
【００２１】
＜機能構成＞
次に、音処理を実行するための発声訓練装置１０の機能について説明する。図２は、本実施形態に係る発声訓練装置１０の機能構成（機能手段）の一例を示すブロック図である。図示のように、発声訓練装置１０は、記憶手段１２０や訓練手段１３０等の機能手段を備える。
【００２２】
記憶手段１２０は、ＲＯＭ１０６や記録媒体１０８Ａ等によって実現される。記憶手段１２０は、音声の識別に影響を与える複数のパラメータを記憶する機能手段である。複数のパラメータは、複数の聴力特性にそれぞれ対応する複数のパラメータを含む。聴力特性としては、難聴レベル、周波数特性、音圧分解能、周波数分解能等が挙げられる。本実施形態では、複数のパラメータは、複数の難聴レベルに対応する複数のパラメータである。また、複数のパラメータは、会場特性にそれぞれ対応する複数のパラメータを含んでもよい。会場特性としては、騒音特性や反響特性等が挙げられる。反響特性としては、会場の種類、会場の広さや構造等が挙げられる。会場の種類としては、学会や、講演会、授業、デパート、商店、銀行、病院等が挙げられる。
【００２３】
記憶手段１２０には、例えば、調整テーブル１２０Ａが記憶される。調整テーブル１２０Ａは、複数のパラメータと、音量についての複数の調整度合とが記述されている。複数のパラメータは、それぞれ調整度合が対応付けられている。なお、調整テーブル１２０Ａの詳細は、後述する。
【００２４】
訓練手段１３０は、ＲＡＭ１０４又はＲＯＭ１０６に発声訓練処理を行うアプリケーションプログラムをＣＰＵ１０２が実行することにより実現される。訓練手段１３０は、発声訓練者に対する発声訓練処理を行う機能手段である。訓練手段１３０は、受付手段１３２と、調整手段１３４と、識別手段１３６と、提供手段１３８等の機能手段（サブルーチン）を備える。
【００２５】
受付手段１３２は、音声を示す音声信号を受け付ける機能手段である。
【００２６】
調整手段１３４は、複数のパラメータの中から少なくとも一つのパラメータを決定し、受付手段１３２が受け付けた音声信号を、決定したパラメータに応じて調整する機能手段である。調整対象は、音声信号が示す音声の音量や抑揚等が挙げられる。本実施形態では、調整手段１３４は、音声信号が示す音声の音量をパラメータに応じて下げる。なお、調整手段１３４は、アプリケーションプログラムで実現する場合を説明したが、電子回路で実現してもよい。
【００２７】
識別手段１３６は、調整手段１３４が調整した音声信号が示す音声を識別する機能手段である。なお、識別手段１３６は、調整手段１３４が調整した音声信号を分析し、評価してもよい。
【００２８】
提供手段１３８は、識別手段１３６によって識別された音声に基づく情報を提供する。識別結果に基づく情報とは、識別手段１３６が識別した音声の文字や、発声訓練者に対するアドバイス等が挙げられる。
【００２９】
＜調整テーブル＞
図３は、図２に示す調整テーブル１２０Ａの一例を説明するための説明図である。図示のように、調整テーブル１２０Ａには、複数のパラメータに対応する難聴レベルとして、「軽度」、「中度」、「高度」が記述されている。そして、難聴レベル「軽度」には調整音量「−４０ｄＢ」が対応付けられ、難聴レベル「中度」には調整音量「−７０ｄＢ」が対応付けられ、難聴レベル「高度」には調整音量「−９０ｄＢ」が対応付けられている。なお、調整テーブル１２０Ａには、複数のパラメータそのものが記述されていてもよい。
【００３０】
＜発声訓練処理＞
図４は、発声訓練処理の流れの一例を示すフローチャートである。この発声訓練処理は、発声訓練者の開始操作に応答して実行が開始される。
【００３１】
（ステップＳＰ１０）
調整手段１３４は、複数のパラメータに対応する複数の聴力特性（難聴レベル）を表示し、複数の難聴レベルの中から少なくとも一つの聴力特性の選択を受け付け、受け付けた選択に対応するパラメータを調整用のパラメータとして決定する。そして、処理は、ステップＳＰ１２の処理に移行する。
【００３２】
（ステップＳＰ１２）
訓練手段１３０は、複数用意されている会話文の中から一つの会話文を取得する。訓練手段１３０は、取得した会話文のモデル音声を生成する。モデル音声は、大きく、聞き取り易いスピードのものである。なお、モデル音声が予め用意されている場合には、取得した会話文に対応するモデル音声を取得してもよい。そして、処理は、ステップＳＰ１４の処理に移行する。
【００３３】
（ステップＳＰ１４）
訓練手段１３０は、音声出力装置１１８を介して、モデル音声を出力する。発声訓練者は、出力されたモデル音声を聞きながら、当該モデル音声に従って、発声の練習を始める。この際、訓練手段１３０は、取得した会話文を表示装置１１４に表示すると共に、モデル音声の速さに対応して、表示した会話文の色を変化させてもよい。そして、処理は、ステップＳＰ１６の処理に移行する。
【００３４】
（ステップＳＰ１６）
訓練手段１３０の受付手段１３２は、音声入力装置１１６を介して、発声訓練者が発声する音声を音声信号として受け付ける。そして、処理は、ステップＳＰ１８の処理に移行する。
【００３５】
（ステップＳＰ１８）
訓練手段１３０の調整手段１３４は、音声信号が示す音声の音量を、既に決定している調整用のパラメータ（難聴レベル）に応じて調整する。そして、処理は、ステップＳＰ２０の処理に移行する。
【００３６】
（ステップＳＰ２０）
識別手段１３６は、調整手段１３４が調整した音量を有する音声信号が示す音声を識別する。そして、処理は、ステップＳＰ２２の処理に移行する。
【００３７】
（ステップＳＰ２２）
識別手段１３６は、音声信号や識別結果に基づき、音声信号を分析し、評価する。例えば、識別手段１３６は、音声信号が示す音声の音圧やピッチのゆらぎ、話速無音時間のパターン等と、モデル音声のものとを比較し、評価する。そして、処理は、ステップＳＰ２４の処理に移行する。
【００３８】
（ステップＳＰ２４）
提供手段１３８は、識別手段１３６によって識別された音声に基づく情報を表示・音声出力することで、発声訓練者に提供する。同様に、提供手段１３８は、分析結果や評価結果を表示・音声出力することで、発声訓練者に提供する。この際、提供手段１３８は、訓練成果が分かるように、分析要素について、練習回数ごとの結果表示や変化等を表示してもよい。そして、処理は、ステップＳＰ２６の処理に移行する。
【００３９】
（ステップＳＰ２６）
訓練手段１３０は、識別手段１３６によって発生訓練者が発声する音声（会話文）が全て正しく識別されたか否かを判定する。そして、肯定判定された場合には処理はステップＳＰ２８の処理に移行し、否定判定された場合には処理はステップＳＰ１４の処理に戻る。
【００４０】
（ステップＳＰ２８）
訓練手段１３０は、次の会話文が存在するか否か判定する。そして、肯定判定された場合には処理はステップＳＰ１２の処理に戻り、否定判定された場合には発声訓練処理が終わる。
【００４１】
以上、本実施形態によれば、音声信号が示す音声の音量を、音声の識別に影響を与えるパラメータに応じて調整し、調整した音量を有する音声信号の音声を識別するので、その音声の識別に影響を与えるパラメータが実際に作用する本番で発声した場合でも、発声訓練者に対して、聞き手が聞き取れるような訓練をすることができる。したがって、発声訓練者に対して適切に発声訓練することができる。
【００４２】
また、本実施形態によれば、音声信号が示す音声の音量を、聴力特性（難聴レベル）に対応するパラメータに応じて調整するので、難聴者が聞き取れるような訓練をすることができる。また、本実施形態によれば、難聴レベルの選択を受け付けるので、聞き手として想定される難聴者の難聴レベルに合わせて、発声訓練者に対して発声訓練することができる。
【００４３】
＜変形例＞
なお、本発明は上記実施形態に限定されるものではない。すなわち、上記実施形態に、当業者が適宜設計調整を加えたものも、本発明の特徴を備えている限り、本発明の範囲に包含される。また、前述した実施形態が備える各要素は、技術的に可能な限りにおいて組み合わせることができ、これらを組み合わせたものも本発明の特徴を含む限り本発明の範囲に包含される。
【００４４】
例えば、上記実施形態では、複数のパラメータに対応する複数の聴力特性を表示し、複数の聴力特性の中から少なくとも一つの聴力特性の選択を受け付け、受け付けた選択に対応するパラメータを調整用のパラメータとして決定する場合を説明したが、複数のパラメータに対応する複数の会場特性を表示し、複数の会場特性の中から少なくとも一つの会場特性の選択を受け付け、受け付けた選択に対応するパラメータを調整用のパラメータとして決定してもよい。
【符号の説明】
【００４５】
１０…発声訓練装置（音声識別装置）、１３２…受付手段、１３４…調整手段、１３６…識別手段、１３８…提供手段
【図１】
2018180166.tif 000003
【図２】
2018180166.tif 000004
【図３】
2018180166.tif 000005
【図４】
2018180166.tif 000006